【手続補正書】
【提出日】平成23年5月17日(2011.5.17)
【手続補正１】
【補正対象書類名】特許請求の範囲
【補正対象項目名】全文
【補正方法】変更
【補正の内容】
【特許請求の範囲】
【請求項１】
検索クエリ情報のリクエストを受信する過程と、
所定の時間長さにわたって検索サービスに提供される検索クエリを含む検索クエリログから１組の検索クエリを識別する過程であって、識別する過程は、検索クエリログから検索クエリを選択する過程を含み、選択された検索クエリ毎に、
選択された検索クエリに関連付けられる複数の固有識別子を判断し、各固有識別子は、検索クエリを含む検索リクエストを提供した固有のクライアント装置に関連付けられ、
固有識別子の数が所定数の固有識別子を超える判断に応じて、１組の検索クエリにおいて選択された検索クエリを含み、所定数の固有識別子が１より大きい値を有し、プライバシ安全として特定される１組の検索クエリに含まれる各検索クエリをもたらす、過程と、
リクエストに応じて１組の検索クエリを提供する過程と、を具備することを特徴とするコンピュータ実装方法。
【請求項２】
固有識別子は、クッキー識別子を具備することを特徴とする請求項１に記載の方法。
【請求項３】
１組の検索クエリを識別する過程は、広告に関連付けられる検索クエリを識別する過程を具備することを特徴とする請求項１に記載の方法。
【請求項４】
広告のスポンサに１組の検索クエリを提供する過程をさらに具備することを特徴とする請求項３に記載の方法。
【請求項５】
各検索クエリと広告に関連付けられたキーワードとの間の類似レベルに基づき、２つまたは複数のカテゴリに１組の検索クエリをカテゴリ化する過程をさらに具備することを特
徴とする請求項３に記載の方法。
【請求項６】
広告のスポンサに検索クエリの２つまたは複数のカテゴリを提供する過程をさらに具備することを特徴とする請求項５に記載の方法。
【請求項７】
広告の表示を引起す検索クエリを識別する過程をさらに具備することを特徴とする請求項３に記載の方法。
【請求項８】
広告のクリックに関連付けられる検索クエリを識別する過程をさらに具備することを特徴とする請求項７に記載の方法。
【請求項９】
検索クエリを正規化する過程をさらに具備することを特徴とする請求項１に記載の方法。
【請求項１０】
検索クエリを正規化する過程は、検索クエリのクエリタームを識別し、クエリタームの順序を保護することを特徴とする請求項９に記載の方法。
【請求項１１】
検索クエリ情報のリクエストを受信する過程と、
検索クエリを提供したユーザの個人情報を含む可能性の低い１つまたは複数の検索クエリを識別する過程であって、識別する過程は、所定の時間長さにわたって検索クエリログから検索クエリを選択する過程を含み、選択された検索クエリ毎に、
選択された検索クエリに関連付けられる複数の固有識別子を判断し、各固有識別子は、検索クエリを含む検索リクエストを提供した固有のクライアント装置に関連付けられ、
固有識別子の数が所定数の固有識別子を超える判断に応じて、１組の検索クエリにおいて選択された検索クエリを含み、所定数の固有識別子が１より大きい値を有し、プライバシ安全として特定される１組の検索クエリに含まれる各検索クエリをもたらす、過程と、
リクエストに応じて１組の検索クエリを提供する過程と、を具備する過程を具備することを特徴とするコンピュータ実装方法。
【請求項１２】
各固有識別子は、固有のクッキー識別子を具備することを特徴とする請求項１１に記載の方法。
【請求項１３】
検索クエリを識別する過程は、広告に関連付けられる検索クエリを識別する過程を具備することを特徴とする請求項１１に記載の方法。
【請求項１４】
広告のスポンサに１組の検索クエリを提供する過程をさらに具備することを特徴とする請求項１３に記載の方法。
【請求項１５】
各検索クエリと広告に関連付けられたキーワードまたはキーフレーズとの間の類似レベルに基づき２つまたは複数のカテゴリに１組の検索クエリをカテゴリ化する過程をさらに具備することを特徴とする請求項１４に記載の方法。
【請求項１６】
検索クエリ情報のリクエストを広告のスポンサから受信する過程と、
広告に一致する１組の検索クエリをスポンサに提供する過程と、
所定の時間長さにわたって検索サービスに提供された検索クエリをスポンサに提供する過程を含む、検索サービスのユーザの個人情報を１組の検索クエリが含む可能性を低減する過程であって、提供する過程は、検索クエリログから検索クエリを選択する過程を含み、選択された検索クエリ毎に、
選択された検索クエリに関連付けられる複数の固有識別子を判断し、各固有識別子は、検索クエリを含む検索リクエストを提供した固有のクライアント装置に関連付けられ、
固有識別子の数が所定数の固有識別子を超える判断に応じて、１組の検索クエリにおいて選択された検索クエリを含み、所定数の固有識別子が１より大きい値を有し、プライバシ安全として特定される１組の検索クエリに含まれる各検索クエリをもたらす、過程と、を具備することを特徴とするコンピュータ実装方法。
【請求項１７】
固有識別子は、クッキー識別子を具備することを特徴とする請求項１６に記載の方法。
【請求項１８】
検索クエリを提供したユーザの個人データを含む可能性の低い１組の検索クエリを自動的に識別し、所定の時間長さにわたって検索サービスに提供される検索クエリを含む検索クエリログから１組の検索クエリを識別するクエリ統計エンジンであって、クエリ統計エンジンは、検索クエリログから検索クエリを選択し、選択された検索クエリ毎に、
選択された検索クエリに関連付けられる複数の固有識別子を判断し、各固有識別子は、検索クエリを含む検索リクエストを提供した固有のクライアント装置に関連付けられ、
固有識別子の数が所定数の固有識別子を超える判断に応じて、１組の検索クエリにおいて選択された検索クエリを含み、所定数の固有識別子が１より大きい値を有し、プライバシ安全として特定される１組の検索クエリに含まれる各検索クエリをもたらす、クエリ統計エンジンと、
１組の検索クエリを格納するデータ格納装置と、を具備することを特徴とする装置。
【請求項１９】
検索クエリを含む検索リクエストを受信し、データ格納装置に検索クエリを格納する検索サーバをさらに具備することを特徴とする請求項１８に記載の装置。
【請求項２０】
固有識別子は、クッキー識別子を具備することを特徴とする請求項１８に記載の装置。
【請求項２１】
クエリ統計エンジンは、検索クエリを正規化することを特徴とする請求項１８に記載の装置。
【請求項２２】
クエリ統計エンジンは、検索クエリのクエリタームを識別してクエリタームの順序を保護することによって検索クエリを正規化することを特徴とする請求項２１に記載の装置。
【請求項２３】
広告に関連付けられる少なくとも１つのクエリキーワードに基づき検索クエリ情報のリクエストを受信する過程と、
所定の時間長さにわたって検索サービスに提供される検索クエリを含む１組の検索クエリを、少なくとも１つのクエリキーワードに関連付けられる検索クエリログから識別する過程であって、識別する過程は、検索クエリログから検索クエリを選択する過程を含み、選択された検索クエリ毎に、
選択された検索クエリに関連付けられる複数の固有識別子を判断し、各固有識別子は、検索クエリを含む検索リクエストを提供した固有のクライアント装置に関連付けられ、
固有識別子の数が所定数の固有識別子を超える判断に応じて、１組の検索クエリにおいて選択された検索クエリを含み、所定数の固有識別子が１より大きい値を有し、プライバシ安全として特定される１組の検索クエリに含まれる各検索クエリをもたらす、過程と、
広告および少なくとも１つのクエリキーワードに１組の検索クエリを関連付ける過程と、を具備することを特徴とするコンピュータ実装方法。
【請求項２４】
検索クエリログからの検索クエリと少なくとも１つのクエリキーワードとの間の関係は、完全一致を具備することを特徴とする請求項２３に記載の方法。
【請求項２５】
検索クエリログからの検索クエリと少なくとも１つのクエリキーワードとの間の関係は、拡張一致を具備することを特徴とする請求項２３に記載の方法。
【請求項２６】
検索クエリログからの検索クエリと少なくとも１つのクエリキーワードとの間の関係は、広義一致を具備することを特徴とする請求項２３に記載の方法。
【請求項２７】
検索クエリログからの検索クエリと少なくとも１つのクエリキーワードとの間の関係は、少なくとも２つの完全一致、拡張一致または広義一致の組合せを具備することを特徴とする請求項２３に記載の方法。
【請求項２８】
各検索クエリとクエリキーワードとの間の類似レベルに基づき２つまたは複数のカテゴリに１組の検索クエリをカテゴリ化する過程をさらに具備することを特徴とする請求項２７に記載の方法。
【請求項２９】
広告のスポンサに検索クエリの２つまたは複数のカテゴリを提供する過程をさらに具備することを特徴とする請求項２８に記載の方法。
【請求項３０】
固有識別子は、クッキー識別子を具備することを特徴とする請求項２３に記載の方法。
【請求項３１】
広告スポンサに広告を関連付けて広告のスポンサに１組の検索クエリを提供する過程をさらに具備することを特徴とする請求項２３に記載の方法。
【請求項３２】
広告スポンサに関連付けられる広告に関連付けられる少なくとも１つのクエリキーワードに基づき検索クエリ情報のリクエストを受信する過程と、
検索クエリを提供したユーザの個人情報を実質的に除外する１つまたは複数の検索クエリを識別する過程であって、識別する過程は、所定の時間長さにわたって検索クエリログから検索クエリを選択する過程を含み、選択された検索クエリ毎に、
選択された検索クエリに関連付けられる複数の固有識別子を判断し、各固有識別子は、検索クエリを含む検索リクエストを提供した固有のクライアント装置に関連付けられ、
固有識別子の数が所定数の固有識別子を超える判断に応じて、１組の検索クエリにおいて選択された検索クエリを含み、所定数の固有識別子が１より大きい値を有し、プライバシ安全として特定される１組の検索クエリに含まれる各検索クエリをもたらす、過程と、
少なくとも１つのクエリキーワードに１つまたは複数の検索クエリを関連付ける過程と、
少なくとも１つのクエリキーワードに関連付けられる１組の検索クエリを広告のスポンサに提供する過程と、を具備することを特徴とするコンピュータ実装方法。
【請求項３３】
各検索クエリと広告に関連付けられる少なくとも１つのクエリキーワードとの間の類似レベルに基づき２つまたは複数のカテゴリに１組の検索クエリをカテゴリ化する過程をさらに具備することを特徴とする請求項３２に記載の方法。
【請求項３４】
カテゴリ化は、少なくとも１つの完全一致、拡張一致および広義一致を含む一致方法を具備することを特徴とする請求項３３に記載の方法。
【請求項３５】
データ格納装置と、
検索クエリを含む検索リクエストを受信し、データ格納装置に検索クエリを格納する検索サーバと、
広告の設置のために広告スポンサから広告を受信する広告サーバと、
検索クエリを提供したユーザの個人データを含む可能性の低い検索サーバから１組の検索クエリを自動的に識別し、所定の時間長さにわたって検索サーバに提供される検索クエリを含む検索クエリログから１組の検索クエリを識別するクエリ統計エンジンであって、クエリ統計エンジンは、検索クエリログから検索クエリを選択し、選択された検索クエリ毎に、
選択された検索クエリに関連付けられる複数の固有識別子を判断し、各固有識別子は、検索クエリを含む検索リクエストを提供した固有のクライアント装置に関連付けられ、
固有識別子の数が所定数の固有識別子を超える判断に応じて、１組の検索クエリにおいて選択された検索クエリを含み、所定数の固有識別子が１より大きい値を有し、プライバシ安全として特定される１組の検索クエリに含まれる各検索クエリをもたらす、クエリ統計エンジンと、
広告スポンサからの広告に１組の検索クエリを一致させる一致エンジンと、を具備することを特徴とする装置。
【請求項３６】
一致エンジンは、少なくとも１つの完全一致エンジン、拡張一致エンジンおよび広義一致エンジンを具備することを特徴とする請求項３５に記載の装置。
【請求項３７】
各識別子は、検索クエリを含む検索リクエストを提供したクライアント装置に関連付けられることを特徴とする請求項３５に記載の装置。
【請求項３８】
固有識別子は、クッキー識別子を具備することを特徴とする請求項３５に記載の装置。
【請求項３９】
クエリ統計エンジンは、検索クエリを正規化することを特徴とする請求項３５に記載の装置。
【請求項４０】
クエリ統計エンジンは、検索クエリのクエリタームを識別してクエリタームの順序を保護することによって検索クエリを正規化することを特徴とする請求項３９に記載の装置。